(57)【要約】【課題】  導熱板で電子部材から生じる熱エネルギーを吸収し、導熱板に対して持続的に送風して放熱を行うことにより電子部材の温度を低下させ、さらに塵などの雑物または水気で電子製品の使用寿命と安定性に影響を及ぼしてしまうのを避けることができる。【解決手段】  ケース１、少なくとも一個の導熱板２および少なくとも一個のファンユニット３を有する。導熱板２はケース１の収容空間１１を第一収容室１１１と第二収容室１１２に区画し、導熱板２は第一収容室１１１と第二収容室１１２の間を阻隔する。第一収容室１１１には複数個の通気口が含まれ、第二収容室１１２は複数個の電子部材９を収容するのに用いられる。ファンユニット３は第一収容室１１１の内に設けられ、ファンユニット３には少なくとも一個の風入口３１と少なくとも一個の風出口３２が含まれ、風入口３１と風出口３２はそれぞれ二個の通気口に対応して連通するように構成されている。【選択図】  図１
2011061201.tif 000002
【特許請求の範囲】
【請求項１】
一個のケース（１）、少なくとも一個の導熱板（２）および少なくとも一個のファンユニット（３）を有する放熱モジュールにおいて、ケース（１）には一個の収容空間（１１）が含まれ、導熱板（２）は収容空間（１１）内に設けられ、そして収容空間（１１）を一個の第一収容室（１１１）と一個の第二収容室（１１２）に区画し、導熱板（２）は第一収容室（１１１）と第二収容室（１１２）の間を阻隔し、第一収容室（１１１）には複数個の通気口が含まれ、ファンユニット（３）は第一収容室（１１１）内に設けられ、ファンユニット（３）には少なくとも一個の風入口（３１）と少なくとも一個の風出口（３２）が含まれ、風入口（３１）は第一収容室（１１１）のその内の一個の通気口に対応して連通するように形成され、風出口（３２）は第一収容室（１１１）のもう一個の通気口に対応して連通するように形成されることを特徴とする放熱モジュール。
【請求項２】
第一収容室（１１１）と第二収容室（１１２）は互いに連通しない二個の収容室からなることを特徴とする請求項１に記載の放熱モジュール。
【請求項３】
通気口の数は二個であり、そして第一収容室（１１１）には一個の送風通路（１１１ａ）が含まれ、送風通路（１１１ａ）の二端はそれぞれ二個の通気口と互いに連通するように形成されることを特徴とする請求項１または２に記載の放熱モジュール。
【請求項４】
ファンユニット（３）には一個の第一ファンユニット（３ａ）と一個の第二ファンユニット（３ｂ）が含まれ、第一ファンユニット（３ａ）と第二ファンユニット（３ｂ）にはそれぞれ一個の風入口（３１）と一個の風出口（３２）が設けられ、第一ファンユニット（３ａ）の風入口（３１）はその内の一個の通気口に対応して連通するように形成され、第二ファンユニット（３ｂ）の風出口（３２）はもう一個の通気口に対応して連通するように形成されることを特徴とする請求項３に記載の放熱モジュール。
【請求項５】
通気口には一個の第一通気口（１１１１）、一個の第二通気口（１１１２）と一個の第三通気口（１１１３）が含まれ、第一収容室（１１１）には一個の送風通路（１１１ａ）が含まれ、送風通路（１１１ａ）の両端はそれぞれ第一通気口（１１１１）と第二通気口（１１１２）と互いに連通するように形成され、第三通気口（１１１３）は第一収容室（１１１）の側面に設けられ、そして送風通路（１１１ａ）と互いに連通するように形成されることを特徴とする請求項１または２に記載の放熱モジュール。
【請求項６】
ファンユニット（３）には一個の風入口（３１）と一個の風出口（３２）が含まれ、風入口（３１）は第三通気口（１１１３）に対応して連通するように形成され、風出口（３２）は送風通路（１１１ａ）を経由して第一通気口（１１１１）に対応して連通するように形成されることを特徴とする請求項５に記載の放熱モジュール。
【請求項７】
第一収容室（１１１）は一個の第一送風通路（１１１ａ）と一個の第二送風通路（１１１ｂ）により構成され、そして第一送風通路（１１１ａ）と第二送風通路（１１１ｂ）は互いに連通するように形成されることを特徴とする請求項１または２に記載の放熱モジュール。
【請求項８】
通気口には一個の第一通気口（１１１１）と一個の第二通気口（１１１２）が含まれ、第一通気口（１１１１）は第一送風通路（１１１ａ）の一端に位置するように形成され、第二通気口（１１１１）は第二送風通路（１１１ｂ）の一端に位置するように形成されることを特徴とする請求項７に記載の放熱モジュール。
【請求項９】
第一送風通路（１１１ａ）と第二送風通路（１１１ｂ）が互いに交差するエリアには一個の組立エリア（Ｔ）が形成され、ファンユニット（３）は対応するように組立エリア（Ｔ）に設けられることを特徴とする請求項８に記載の放熱モジュール。
【請求項１０】
通気口には他に一個の第三通気口（１１１３）と一個の第四通気口（１１１４）が含まれ、第三通気口（１１１３）と第四通気口（１１１４）はそれぞれ組立エリア（Ｔ）の上部と底部に形成されることを特徴とする請求項９に記載の放熱モジュール。
【請求項１１】
ファンユニット（３）には一個の第一風入口（３１ａ）、一個の第二風入口（３１ｂ）、一個の第一風出口（３２ａ）と一個の第二風出口（３２ｂ）が含まれ、第一風入口（３１ａ）は第三通気口（１１１３）に対応して連通するように形成され、第二風入口（３１ｂ）は第四通気口（１１１４）に対応して連通するように形成され、第一風出口（３２ａ）は第一送風通路（１１１ａ）を経由して第一通気口（１１１１）と互いに連通するように形成され、第二風出口（３２ｂ）は第二送風通路（１１１ｂ）を経由して第二通気口（１１１２）と互いに連通するように形成されることを特徴とする請求項１０に記載の放熱モジュール。
【請求項１２】
導熱板（２）はケース（１）の収容空間（１１）内に一体成形になるように形成されることを特徴とする請求項１または２に記載の放熱モジュール。
【請求項１３】
導熱板（２）はケース（１）の収容空間（１１）内に取外し自在に設けられることを特徴とする請求項１または２に記載の放熱モジュール。
【請求項１４】
導熱板（２）には複数個の放熱フィン（２１）が設けられ、それぞれの放熱フィン（２１）は互いに平行になるように送風通路（１１１ａ）内に設けられ、そしてそれぞれの放熱フィン（２１）はその内の一個の通気口からもう一個の通気口の方向に向かって延伸するように形成されることを特徴とする請求項３に記載の放熱モジュール。
【請求項１５】
導熱板（２）には複数個の放熱フィン（２１）が設けられ、それぞれの放熱フィン（２１）は互いに平行になるように送風通路（１１１ａ）内に設けられ、そしてそれぞれの放熱フィン（２１）は第一通気口（１１１１）から第二通気口（１１１２）の方向に向かって延伸するように形成されることを特徴とする請求項５に記載の放熱モジュール。
【請求項１６】
導熱板（２）には複数個の放熱フィン（２１）が設けられ、それぞれの放熱フィン（２１）は互いに平行になるように送風通路（１１１ａ）内に設けられることを特徴とする請求項７に記載の放熱モジュール。
【発明の詳細な説明】
【技術分野】
【０００１】
本発明は、放熱モジュールに関するもので、特に水気と塵などの雑物によって電子部材の作動に影響を及ぼしてしまうのを避けることができる放熱モジュールに係るものである。
【背景技術】
【０００２】
従来の放熱モジュールとしては、大部分の電子製品はその自体の電子部材（例えばマイクロプロセッサまたはＩＣチップなど）をケース内に集中して収容しなければならないが、電子製品の功能の迅速な進歩に従って、さらにケースの内部空間は大体通風性の悪い密閉の空間で、そして電子部材が作動時において高熱が生じ易くなるため、ケースの内部空間の温度も段々と高くなり、そのために電子部材に適当な作業温度を維持して正常で作動できるように、さらにその使用寿命を延ばすことができるように、電子製品においては殆どファンまたは放熱フィンなどの放熱装置を利用してケースの内部空間の電子部材に対して放熱を行うようにしたものがある。
【０００３】
従来の放熱モジュールとしては、例えば中華民国公告第Ｍ３４４５０８号「コンピューターケースの放熱装置」と、図９，１０に示される従来の放熱モジュールの組立構造を参照すると、従来の放熱モジュールには一個のケース７と二個のファンユニット８が含まれる。その内にケース７には一個の収容空間７１と二個の組立口７２が含まれ、収容空間７１は複数個の電子部材９を設けるのに用いられ、二個の組立口７２は選択的にケース７の上面と側面に設けられる。二個のファンユニット８はそれぞれ対応するように二個の組立口７２に設けられる。それぞれの電子部材９が持続的に作動されると、電子部材９から生じる高温によって収容空間７１の内の温度は段々と上昇し、そしてその内の一個のファンユニット８によって外部の常温の空気を導引して収容空間７１の内に進入し、電子部材９と熱交換を行うことにより、空気は電子部材９から生じる熱エネルギーを吸収し、さらにもう一個のファンユニット８を利用し、熱交換を完成した高温の空気を収容空間７１から抽出して外部へ排出することにより、収容空間７１の内に循環気流を形成して放熱を行うことができるため、ケース７の内部の全体の放熱の効果を高めることができるようにとしたものがある。
【先行技術文献】
【特許文献】
【０００４】
【特許文献１】中華民国公告第Ｍ３４４５０８号
【発明の概要】
【発明が解決しようとする課題】
【０００５】
図９、１０に示される従来の放熱モジュールにおいては、ファンユニット８を経由して直接外部の空気を収容空間７１の内に導入して熱交換を行わなければならないが、外部の空気は殆ど水気を含んでおり、または塵などの雑物を含んでいる。そのため、従来の放熱モジュールによって循環の放熱を行う場合、水気と塵も収容空間７１の内に進入し易いため、電子部材９が湿ったりまたはショートしたりする状況が発生し易く、電子部材９が壊れて電子製品の使用寿命が短くなったりするという問題点があった。このように、上記のような従来の放熱モジュールをさらに改良しなければならない。
【０００６】
本発明はこのような問題点に鑑みて発明されたものであって、その主な目的とするところは、水気または塵などの雑物によって電子部材の作動に影響を及ぼしてしまうのを有効に減らし、そして電子部材の使用寿命を延ばすことができる放熱モジュールを提供することである。
【０００７】
本発明の第二の目的は、電子部材から生じる熱エネルギーをもう一個の空間まで導引することにより、有効に放熱を行うことができる放熱モジュールを提供することにある。
【０００８】
本発明の第三の目的は、電子部材と導熱板の間の熱交換の面積を増やすことにより、全体の放熱の効率を高めることができる放熱モジュールを提供することにある。
【課題を解決するための手段】
【０００９】
上記目的を達成するために、本発明による放熱モジュールは、一個のケース、少なくとも一個の導熱板および少なくとも一個のファンユニットを有する。ケースには一個の収容空間が含まれる。導熱板は収容空間の内に設けられ、そして収容空間を一個の第一収容室と一個の第二収容室に区画し、導熱板は第一収容室と第二収容室の間に阻隔され、第一収容室には複数個の通気口が含まれる。ファンユニットは第一収容室内に設けられ、ファンユニットには少なくとも一個の風入口と少なくとも一個の風出口が含まれ、風入口は第一収容室のその内の一個の通気口に対応して連通するように形成され、風出口は第一収容室のもう一個の通気口に対応して連通するように形成される。
【００１０】
また、第一収容室と第二収容室は互いに連通しない二個の収容室からなることもできる。また、通気口の数は二個であり、そして第一収容室には一個の送風通路が含まれ、送風通路の二端はそれぞれ二個の通気口と互いに連通するように形成されることもできる。また、ファンユニットには一個の第一ファンユニットと一個の第二ファンユニットが含まれ、第一ファンユニットと第二ファンユニットにはそれぞれ一個の風入口と一個の風出口が設けられ、第一ファンユニットの風入口はその内の一個の通気口に対応して連通するように形成され、第二ファンユニットの風出口はもう一個の通気口に対応して連通するように形成されることもできる。また、通気口には一個の第一通気口、一個の第二通気口と一個の第三通気口が含まれ、第一収容室には一個の送風通路が含まれ、送風通路の二端はそれぞれ第一通気口と第二通気口と互いに連通するように形成され、第三通気口は第一収容室の側面に設けられ、そして送風通路と互いに連通するように形成されることもできる。また、ファンユニットには一個の風入口と一個の風出口が含まれ、風入口は第三通気口に対応して連通するように形成され、風出口は送風通路を経由して第一通気口に対応して連通するように形成されることもできる。また、第一収容室は一個の第一送風通路と一個の第二送風通路により構成され、そして第一送風通路と第二送風通路は互いに連通するように形成されることもできる。また、通気口には一個の第一通気口と一個の第二通気口が含まれ、第一通気口は第一送風通路の一端に位置するように形成され、第二通気口は第二送風通路の一端に位置するように形成されることもできる。また、第一送風通路と第二送風通路が互いに交差するエリアには一個の組立エリアが形成され、ファンユニットは対応するように組立エリアに設けられることもできる。また、通気口には他に一個の第三通気口と一個の第四通気口が含まれ、第三通気口と第四通気口はそれぞれ組立エリアの上部と底部に形成されることもできる。また、ファンユニットには一個の第一風入口、一個の第二風入口、一個の第一風出口と一個の第二風出口が含まれ、第一風入口は第三通気口に対応して連通するように形成され、第二風入口は第四通気口に対応して連通するように形成され、第一風出口は第一送風通路を経由して第一通気口と互いに連通するように形成され、第二風出口は第二送風通路を経由して第二通気口と互いに連通するように形成されることもできる。また、導熱板はケースの収容空間内に一体成形になるように形成されることもできる。また、導熱板はケースの収容空間内に取外し自在に設けられることもできる。また、導熱板には複数個の放熱フィンが設けられ、それぞれの放熱フィンは互いに平行になるように送風通路の内に設けられ、そしてそれぞれの放熱フィンはその内の一個の通気口からもう一個の通気口の方向に向かって延伸するように形成されることもできる。また、導熱板には複数個の放熱フィンが設けられ、それぞれの放熱フィンは互いに平行になるように送風通路内に設けられ、そしてそれぞれの放熱フィンは第一通気口から第二通気口の方向に向かって延伸するように形成されることもできる。また、導熱板には複数個の放熱フィンが設けられ、それぞれの放熱フィンは互いに平行になるように送風通路の内に設けられることもできる。
【発明の効果】
【００１１】
本発明の放熱モジュールによれば、水気や塵などの雑物によって電子部材の作動に影響を及ぼしてしまうのを有効に減らし、そして電子部材の使用寿命を延ばすことができるという利点がある。
【００１２】
本発明の放熱モジュールによれば、電子部材から生じる熱エネルギーをもう一個の空間まで導引することにより、有効に放熱を行うことができるという利点がある。
【００１３】
本発明の放熱モジュールによれば、電子部材と導熱板の間の熱交換の面積を増やすことにより、全体の放熱の効率を高めることができるという利点がある。
【図面の簡単な説明】
【００１４】
【図１】図１は、本発明の実施例１の放熱モジュールの分解斜視透視図である。
【図２】図２は、本発明の実施例１の放熱モジュールの平面透視と気流の流れの説明図である。
【図３】図３は、図２のＡ−Ａ線に沿った側面断面図である。
【図４】図４は、本発明の実施例２の放熱モジュールの分解斜視透視図である。
【図５】図５は、本発明の実施例２の放熱モジュールの平面透視と気流の流れの説明図である。
【図６】図６は、図５のＢ−Ｂ線に沿った側面断面図である。
【図７】図７は、本発明の実施例３の放熱モジュールの分解斜視透視図である。
【図８】図８は、本発明の実施例３の放熱モジュールの平面透視と気流の流れの説明図である。
【図９】図９は、従来の放熱モジュールの斜視透視図である。
【図１０】図１０は、図９のＣ−Ｃ線に沿った局部の断面図である。
【発明を実施するための形態】
【００１５】
本発明の実施の形態について、以下、図面を参照して説明する。
【実施例１】
【００１６】
図１は本発明の実施例１の放熱モジュールの分解斜視透視図である。図１を参照すると、本発明の実施例１の放熱モジュールは一般的に電子部材を収容するケースを有する電子製品（例えばカメラ、デジタルプレーヤー、ノート型パソコンまたはＧＰＳなど）に応用される。放熱モジュールには一個のケース１、少なくとも一個の導熱板２および少なくとも一個のファンユニット３が含まれる。ケース１の内部には一個の収容空間１１が含まれる。導熱板２は選択的に一体成形になるように直接収容空間１１内に形成される、或いは取外し自在の組立方式で収容空間１１内に設けられ、それによって収容空間１１を二個の収容室に区画することができ、その内の一個の収容室にファンユニット３を設けることができ、そしてもう一個の収容室は複数個の電子部材９（例えば回路板、マイクロプロセッサまたはＩＣチップなど）を収容するのに用いられる。その他に、導熱板２の材質は選択的に導熱能力の高い金屬材料（例えばアルミ、銅、金、銀またはその他の合金など）により製造される。
【００１７】
本実施例の導熱板２の数は一個であり、導熱板２によって収容空間１１を一個の第一収容室１１１と一個の第二収容室１１２に区画することができ、そして導熱板２は第一収容室１１１と第二収容室１１２の間を阻隔する。第一収容室１１１内に一個の第一送風通路１１１aが含まれ、第一収容室１１１には複数個の通気口が含まれる。その内に本実施例の第一収容室１１１には選択的に一個の第一通気口１１１１と一個の第二通気口１１１２が設けられ、第一通気口１１１１は第一送風通路１１１aの一端に位置するように形成され、そして第二通気口１１１２は第一送風通路１１１aのもう一端に位置するように形成される。
【００１８】
ファンユニット３は第一収容室１１１内に設けられ、そして使用上の需要性に応じて選択的に軸流式のファンまたは送風式のファンからなる。本実施例のファンユニット３は選択的に二個の軸流式のファンからなり、二個の軸流式のファンは一個の第一ファンユニット３ａと一個の第二ファンユニット３ｂからなり、第一ファンユニット３ａと第二ファンユニット３ｂは第一送風通路１１１ａの両端にそれぞれ設けられる。第一ファンユニット３ａと第二ファンユニット３ｂにはそれぞれ一個の風入口３１と一個の風出口３２が設けられる。第一ファンユニット３ａの風入口３１は第一通気口１１１１に対応して連通するように形成され、第二ファンユニット３ｂの風出口３２は第二通気口１１１２に対応して連通するように形成される。
【００１９】
図２は本発明の実施例１の放熱モジュールの平面透視と気流の流れについての説明図で、図３は図２のＡ−Ａ線に沿った側面断面図である。図１、２、３を参照すると、本発明の実施例１の放熱モジュールが電子製品に応用される時、電子製品の複数個の電子部材９はケース１の第二収容室１１２の内に収容され、その内に一部分の電子部材９は直接導熱板２の一方の側に貼接され、そしてその他の導熱板２の一方の側に貼接されていない電子部材９は選択的に一個の放熱導管（Heat Pipe）Ｈまたはその他の導熱部材を経由して導熱板２と互いに連接することができる。
【００２０】
それぞれの電子部材９が作動の状態では高熱が生じ易いため、第二収容室１１２内の温度は段々高くなり、その内に導熱板２はその一方の側に貼接する電子部材９から生じる熱エネルギーを吸収し、或いは電子部材９から放熱導管Ｈを通じて伝導される熱エネルギーを吸収することにより、導熱板２の温度も相対的に高くなる。この時、第一ファンユニット３ａの風入口３１は第一通気口１１１１を通じて外部から常温の空気を引き込み、そして第一ファンユニット３ａの風出口３２から上記常温の空気を第一送風通路１１１ａ内に送り込み、さらに上記常温の空気によって持続的に導熱板２と熱交換を行うことにより、導熱板２の温度を低く下げる。また、熱交換を完成した高温の空気は第二ファンユニット３ｂの風入口３１に吸い込まれ、そして第二ファンユニット３ｂの風出口３２を経由して外部へ排出され、さらに第一送風通路１１１ａの内において放熱のための循環気流が形成され、導熱板２に対して持続的に放熱を行うことができる。
【００２１】
本発明においては主に導熱板２の一方の側を利用して第二収容室１１２内の電子部材９から生じる熱エネルギーを吸収し、そしてファンユニット３によって第一収容室１１１の内に形成される循環気流を利用して導熱板２のもう一方の側に対して持続的に送風して放熱することにより、第二収容室１１２と電子部材９の温度を低く下げる。その他に、本発明の第一収容室１１１と第二収容室１１２は二個の独立した空間からなり、そして第一収容室１１１と第二収容室１１２の間は互いに連通したり、または互いに連通しなかったりするように形成することができる。そして本実施例において第一収容室１１１は第二収容室１１２と連通しないような実施形態を選択することにより、ファンユニット３によって外部から吸い込んだ塵の雑物または水気は第二収容室１１２の内に進入しないため、電子部材９は塵の雑物または水気の影響によってショートしたり湿ったりすることなく、さらに電子製品の使用寿命と安定性を延ばすことができる。
【００２２】
また、第二収容室１１２内に設けられる電子部材９は選択的に直接導熱板２に貼接したり、または間接的に放熱導管Ｈを経由して接合したりすることにより、電子部材９から生じる熱エネルギーはさらに直接かつ迅速に導熱板２まで熱伝導されて放熱を行うことができるため、本発明の全体の放熱の効果を有効に高めることができる。
【実施例２】
【００２３】
図４は本発明の実施例２の放熱モジュールの分解斜視透視図である。図４を参照すると、実施例１と比較して実施例２の第一収容室１１１には一個の第一通気口１１１１、一個の第二通気口１１１２と一個の第三通気口１１１３が設けられ、その内に第一通気口１１１１は第一送風通路１１１ａの一端に位置し、第二通気口１１１２は第一送風通路１１１ａのもう一端に位置し、第三通気口１１１３は第一収容室１１１のその内の一個の側面（本実施例では図面中の第一収容室１１１の上面を指す）に形成され、そして第一送風通路１１１ａと互いに連通するように形成される。その他に、本実施例の第二通気口１１１２はファンユニット３が位置を合わせて第一送風通路１１１ａの内の一端に組み立てるのに用いられる。
【００２４】
図５は本発明の実施例２の放熱モジュールの平面透視と気流の流れについての説明図で、図６は図５のＢ−Ｂ線に沿った側面断面図である。図５、６を参照すると、本実施例の導熱板２の側面には複数個の放熱フィン２１が設けられ、その内にそれぞれの放熱フィン２１は互いに平行になるように第一送風通路１１１ａ内に設けられ、そしてそれぞれの放熱フィン２１は第一通気口１１１１から第二通気口１１１２の方向に向かって延伸するように形成される。ファンユニット３は選択的に一個の送風式のファンからなり、ファンユニット３には一個の風入口３１と一個の風出口３２が含まれる。風入口３１は第三通気口１１１３に対応して連通するように形成され、風出口３２は第一送風通路１１１ａを通じて第一通気口１１１１に対応して連通するように形成される。
【００２５】
本実施例においては、導熱板２の一方の側によって第二収容室１１２内の電子部材９から生じる熱エネルギーを吸収するもので、この時にファンユニット３の風入口３１を経由して外部から常温の空気を引き込み、そしてファンユニット３の風出口３２を通じて上記常温の空気を第一送風通路１１１ａ内に送り込み、さらに上記常温の空気によって導熱板２と放熱フィン２１に対して送風して放熱を行うことにより、導熱板２と放熱フィン２１に蓄積されている熱エネルギーを持ち去ることができるため、導熱板２の温度を低く下げることができる。また、熱交換を完成した高温の空気は直ちに第一通気口１１１１を経由して外部へ排出される。これにより、本発明では第二収容室１１２とその内部に位置する電子部材９の温度を有効に低く下げることができ、さらに塵などの雑物または水気が第二収容室１１２に進入して電子製品の使用寿命と安定性に影響を及ぼしてしまうのを避けることができる。
【実施例３】
【００２６】
図７は本発明の実施例３の放熱モジュールの分解斜視透視図で、図８は本発明の実施例３の放熱モジュールの平面透視と気流の流れについての説明図である。図７、８を参照すると、実施例２と比較して実施例３においては、二個の導熱板２を利用して収容空間１１を第一収容室１１１と第二収容室１１２に区画し、その内に第一収容室１１１は一個の第一送風通路１１１ａと一個の第二送風通路１１１ｂにより構成されるＬ字型の収容室であり、そして第一送風通路１１１ａと第二送風通路１１１ｂは互いに連通するように形成される。第一送風通路１１１ａと第二送風通路１１１ｂが互いに交差するエリアには一個の組立エリアＴが形成され、組立エリアＴはファンユニット３が対応して組み立てるのに用いられる。第一収容室１１１には一個の第一通気口１１１１、一個の第二通気口１１１２、一個の第三通気口１１１３と一個の第四通気口１１１４が含まれる。その内に第一通気口１１１１は第一送風通路１１１ａの一端に位置するように形成され、第二通気口１１１２は第二送風通路１１１ｂの一端に位置するように形成され、第三通気口１１１３と第四通気口１１１４はそれぞれ組立エリアＴの上部と底部に対応するように設けられる。その他に、本実施例の第三通気口１１１３はファンユニット３が位置を合わせて組立エリアＴの内に組み立てるのに用いられる。
【００２７】
また、本実施例のファンユニット３には一個の第一風入口３１ａ、一個の第二風入口３１ｂ、一個の第一風出口３２ａと一個の第二風出口３２ｂが含まれる。ファンユニット３が組立エリアＴ内に組み立てられると、第一風入口３１ａは第三通気口１１１３に対応して連通するように形成され、第二風入口３１ｂは第四通気口１１１４に対応して連通するように形成される。第一風出口３２ａは第一送風通路１１１ａを経由して第一通気口１１１１と互いに連通するように形成され、第二風出口３２ｂは第二送風通路１１１ｂを経由して第一通気口１１１２と互いに連通するように形成される。
【００２８】
本実施例においては、二個の導熱板２によって第二収容室１１２内の電子部材９から生じる熱エネルギーを同時に吸収するもので、この時に第一風入口３１ａと第一風入口３１ｂを経由して外部から常温の空気を引き込み、そして第一風出口３２ａと第二風出口３２ｂを通じてそれぞれ上記常温の空気を第一送風通路１１１ａと第二送風通路１１１ｂ内に送り込み、さらに上記常温の空気によって導熱板２に対して送風して放熱を行うことにより、二個の導熱板２に蓄積されている熱エネルギーを持ち去ることができるため、二個の導熱板２の温度を低く下げることができる。また、熱交換を完成した高温の空気はそれぞれ直ちに第一通気口１１１１と第二通気口１１１２を経由して外部へ排出される。これにより、本発明ではそれぞれ第一送風通路１１１aと第二送風通路１１１ｂ内において循環の気流が形成されることにより、第二収容室１１２の内部に位置する電子部材９の温度を有効に低く下げることができ、さらに塵などの雑物または水気が第二収容室１１２に進入して電子製品の使用寿命と安定性に影響を及ぼしてしまうのを避けることができる。
【００２９】
また、本実施例においては二個の導熱板２を利用し、第二収容室１１２と電子部材９の間の熱交換の面積を大幅に増加すると同時に、ファンユニット３がそれぞれ第一送風通路１１１ａと第二送風通路１１１ｂの内部において形成される循環気流によって二個の導熱板２に対して送風して放熱を行うことにより、本発明によれば確実に全体の放熱の効率を有効に高めることができ、そして電子部材９が安定した工作温度で作動するのを維持することができる。
【００３０】
本発明は、その精神とび必須の特徴事項から逸脱することなく他のやり方で実施することができる。従って、本明細書に記載した好ましい実施例は例示的なものであり、限定を意図するものではない。
【符号の説明】
【００３１】
１    ケース
１１    収容空間
１１１    第一収容室
１１２    第二収容室
１１１ａ    第一送風通路
１１１ｂ    第二送風通路
１１１１    第一通気口
１１１２    第二通気口
１１１３    第三通気口
１１１４    第四通気口
２    導熱板
２１    放熱フィン
３    ファンユニット
３ａ    第一ファンユニット
３ｂ    第二ファンユニット
３１    風入口
３１ａ    第一風入口
３１ｂ    第二風入口
３２    風出口
３２ａ    第一風出口
３２ｂ    第二風出口
７    ケース
７１    収容空間
７２    組立口
８    ファンユニット
９    電子部材
Ｈ    放熱導管
Ｔ    組立エリア
【図１】
2011061201.tif 000003
【図２】
2011061201.tif 000004
【図３】
2011061201.tif 000005
【図４】
2011061201.tif 000006
【図５】
2011061201.tif 000007
【図６】
2011061201.tif 000008
【図７】
2011061201.tif 000009
【図８】
2011061201.tif 000010
【図９】
2011061201.tif 000011
【図１０】
2011061201.tif 000012